(57)【特許請求の範囲】
【請求項１】
パチンコ球が貯留される球貯留部に隣接して前方へ回動可能に軸装される灰皿を設け、前記球貯留部の底壁には球抜き孔を開設すると共に、底壁の裏側に水平方向に自在に摺動して常に前記球抜き孔を閉塞するよう付勢されるシャッター板を設けたパチンコ遊技機における下部球受皿において、
前記灰皿の裏面に差込み係止部及び係止突条を設け、一方シャッター板には、球抜き孔を開放した時、差込み係止部に係合して灰皿の回動動作を不能にする弾性係止部と、球抜き孔を閉塞した時、前記係止突条に係止し、かつ外すことにより灰皿の回動動作を可能にする係合ピンとを設けたパチンコ機における下部球受皿。
【発明の詳細な説明】
【０００１】
【産業上の利用分野】
本発明は、パチンコ球が貯留される球貯留部に隣接して、前方へ回動可能に軸装される灰皿を設けたパチンコ機における下部球受皿に関するものである。
【０００２】
【従来の技術】
従来、この種の下部球受皿は合成樹脂材により成形されており、灰皿は清掃の都度、吸殻を取り出し易くするため、手を触れるだけで簡単に前方へ回動し得るよう軸着されている。ところで、パチンコホールに新しいパチンコ機を搬入すべく、工場からトラック等に載せて出荷する場合、前記灰皿が容易に回動して不安定であることから、トラックへの荷積みの際、またはトラックでの移送中に灰皿がガタついて破損する恐れが有った。このため、パチンコ機の出荷前に、各灰皿を下部球受皿と一体に接着テープで止めガタつきを発生させないようにしている。
【０００３】
【発明が解決しようとする課題】
しかしながら、このように出荷前に各パチンコ機台毎に接着テープを貼り、またパチンコホールへ搬入され設置された後は、再び前記各パチンコ機の接着テープを取り外さねばならず、面倒で煩しい作業を強いられることとなり、しかも接着テープの無用な消費にも繋っていた。
そこで、本発明は上記課題を解決すべくなされたもので、下部球受皿のシャッター板を利用して灰皿をワンタッチ式に固定することにより、輸送中などの破損を防止するようにしたパチンコ機の下部球受皿を提供することを目的とする。
【０００４】
【課題を解決するための手段】
かかる目的を達成するため、本発明のパチンコ機における球受皿は、パチンコ球が貯留される球貯留部に隣接して前方へ回動可能に軸装される灰皿を設け、前記球貯留部の底壁には球抜き孔を開設すると共に、底壁の裏側に水平方向に自在に摺動して常に前記球抜き孔を閉塞するよう付勢されるシャッター板を設けたパチンコ遊技機における下部球受皿において、前記灰皿の裏面に差込み係止部を設け、一方シャッター板には、球抜き孔を開放した時、前記差込係止部に係合して灰皿の回動動作を不能にする弾性係止部を設けた構成よりなる。
【０００５】
【作用】
シャッター板を摺動させて球貯留部底壁の球抜き孔を開放した時、シャッター板の弾性係止部が灰皿裏面の差込み係止部に係合し、灰皿の回動動作を不能にする。このように、シャッター板を摺動させるワンタッチ動作で灰皿が固定できる。よって、パチンコ機の輸送時等に灰皿がガタ付くことがなくなり、破損も防止される。また、パチンコホール内にパチンコ機を設置した後は、各弾性係止部を差込み係止部から外すことにより灰皿が回動可能になる。
【０００６】
【実施例１】
以下、本発明に係るパチンコ機における下部球受皿の一実施例を図面と共に説明する。図１は本発明が適用されるパチンコ機の正面図である。図において１はパチンコ機本体、２は前面枠、３は前面枠２の裏側に配置される遊技盤、４は該遊技盤３の上部前面を覆うガラス枠、５は遊技盤３の下部前面を覆う前面板であり、その前面に打球供給皿６が取り付けられ、また前面枠２の下部前面に本実施例に係わる下部球受皿７が装着されている。
【０００７】
図２は下部球受皿７の斜視図、図３は要部の分解斜視図、図４は下部球受皿７の裏面斜視図をそれぞれ示す。下部球受皿７は取付基板８の前面に皿部９が装着されており、該皿部９に取付基板８に開設される余剰球排出用の排出口１０と連なる球貯留部１１が設けられている。また、該球貯留部１１の底壁１２に図４に示すよう円形の球抜き孔１３が開設されている。
【０００８】
１４は底壁１２の裏側にビスＰを介して取付けられ、上面が開放され且つ平面長方形をなす箱枠状の支持枠であり、一側に球抜き孔１３に連通する円形の通孔１５が開設されている。
【０００９】
１６は底壁１２と支持枠１４との間で水平方向へ摺動自在に介装され、球抜き孔１３を開閉させるシャッター板である。該シャッター板１６は、支持枠１４に装填されたコイルスプリング１７により常に球抜き孔１３を閉塞するよう付勢されている。そして、その一側に、先端部の下面に係止爪１８を設けた弾性係止部１９を水平に突設している。
【００１０】
前記弾性係止部１９は支持枠１４内のガイド溝２０に沿って摺動し、また該弾性係止部１９に長手方向に沿って長孔２１が開設されている。該長孔２１には、支持枠１４を前記底壁１２にビスＰ止めするためのボス２２が遊嵌される。２３は、シャッター板１６を操作するため該シャッター板１６の前側面に突設される操作部である。
【００１１】
一方、前記皿部９の一側に凹欠部２４が形成され、該凹欠部２４内には、灰皿２５が図５鎖線で示すように軸２６により前方へ回動自在に装着されている。そして、灰皿２５の裏面にシャッター板１６が摺動して球抜き孔１３を開放した時、前記弾性係止部１９の係止爪１８が係合し得る差込み係止部２７が設けられる。
【００１２】
このため、弾性係止部１９は、シャッター板１６が球抜き孔１３を開放した位置で、先端部が差込み係止部２７に達し、また球抜き孔１３を閉塞した位置では灰皿２５の下面まで達し得ないようにその長さが設定されている。
【００１３】
次に作用を図６に基づき説明する。通常、シャッター板１６はコイルスプリング１７の付勢により図６実線で示すように球抜き孔１３を閉塞する位置にある。この状態で、操作部２３に指を掛けてシャッター板１６を図６鎖線で示すように球抜き孔１３を開放する位置へ摺動させると、シャッター板１６の一側に突設した弾性係止部１９がガイド溝２０に沿って突出し、先端部の係止爪１８が差込み係止部２７に弾性係止部１９の弾発力に抗して係合する。これにより灰皿２５が前方へ回動不可能に固定させる。
【００１４】
また、シャッター板１６を元の位置に戻すには、一方の手の指先で弾性係止部１９を押し上げながら差込み係止部２７から係止爪１８を外せば、コイルスプリング１７の付勢によりシャッター板１６が自動的に復動して球抜き孔１３を閉じる。そして、弾性係止部１９による固定から開放された灰皿２５は前方へ回動可能となる。
そこで、新しいパチンコ機をトラック等で出荷する場合、あらかじめすべてのパチンコ機において、各シャッター板１６を摺動させ、差込み係止部２７に弾性係止部１９を係合させ灰皿２５が無用に回動しないよう固定しておく。また、パチンコホール内に設置された後に、前記係合を解除するようにする。
【００１５】
図７は他の実施例の下部球受皿７ａが適用されるパチンコ機の正面図、図８は同下部球受皿７ａの斜視図、図９は要部の分解斜視図である。なお、他の実施例は本実施例と主たる構成を同一とするので、同部位は同番号を付してその説明は省略する。
【００１６】
他の実施例においては、図９，図１０に示すようシャッター板１６ａの一側に、弾性係止部１９と略平行に係止ピン２８が並設され、該係止ピン２８は支持枠１４ａ内のガイド溝３１に沿って摺動する。一方、灰皿２５ａの裏面には、シャッター板１６ａが球抜き孔１３を閉塞した時、前記係止ピン２８が係止する畝状の係止突条２９と、シャッター板１６ａが球抜き孔１３を開放した時、係止ピン２８が係止突条２９に係止しつつ嵌挿する一対の差込み嵌入部３０，３０が設けられる。
【００１７】
このため、係止ピン２８は、シャッター板１６ａが球抜き孔１３を閉塞した時も係止突条２９に係止されるが、係止ピン２８の弾発力によって係止されているにすぎず、灰皿２５ａを強く前方へ回動させると前記係止突条２９と係止ピン２８の係止が外れ、灰皿２５ａが容易に回動し得るようになっている。
【００１８】
次に作用を図１１，図１２に基づき説明する。この場合も、通常、シャッター板１６ａはスプリング１７の付勢により図１２実線で示すように球抜き孔１３を閉塞する位置にある。この状態で、操作部２３に指を掛けてシャッター板１６ａを図１２鎖線で示すように球抜き孔１３を開放する位置に摺動させると、シャッター板１６ａの一側に突設した弾性係止部１９がガイド溝２０に、また係止ピン２８がガイド溝３１に沿ってそれぞれ突出する。そして、弾性係止部１９の係止爪１８が差込み係止部２７に係合すると共に、係止ピン２８が両差込み嵌入部３０，３０に嵌挿される。灰皿２５ａを回動不可能に固定するには前記弾性係止部１９の係合で充分であるが、係止ピン２８が加われば更に固定が強固になし得る。また、係止ピン２８は、パチンコ機の輸送中において灰皿２５ａの無用の回動により弾性係止部１９が破損するのを防止する役目も果している。
【００１９】
また、シャッター板１６ａを元の位置に戻すには、一方の手の指先で弾性係止部１９を押し上げながら差込み係止部２７から係止爪１８を外し、操作部２３に他方の指を掛けて右へ助勢すればコイルスプリング１７の付勢によりシャッター板１６ａが復動して球抜き孔１３を閉じる。
よって、この場合も新しいパチンコ機をトラックで出荷する場合、差込み係止部２７に弾性係止部１９を係合させておけば、灰皿２５ａが無用に回動することなく固定できる。
【００２０】
また、シャッター板１６ａで球抜き孔１３を閉塞した時、係止ピン２８が係止突条２９に係止されているが、これにより例えば遊技中に遊技者の手が不用意に灰皿２５ａに触れて該灰皿２５ａを図１１鎖線のように回動させ、吸殻を零してズボンを汚すといった事態が防止される。
【００２１】
【発明の効果】
本発明は上記構成よりなり、シャッター板を摺動させるのみで灰皿を確実に固定することができ、パチンコ機の輸送時などの破損を防止できるから、従来の如く接着テープを使用する必要もなく、面倒な手間を省くことができる。しかも、これにより接着テープの無駄な使用も無くなる。
【００２２】
また、シャッター板が球抜き孔を閉塞している時、係止ピンを係止突条に係止させるようにすれば、例えば遊技中に遊技者の手が不用意に灰皿に触れて該灰皿を回動し、吸殻によりズボンなどを汚すといった事態も防止される。
【図面の簡単な説明】
【図１】本発明が適用されるパチンコ機の正面図。
【図２】同上下部球受皿の斜視図。
【図３】同上要部分解斜視図。
【図４】同上下部球受皿の裏面斜視図。
【図５】同上灰皿の断面図。
【図６】同上作用説明図。
【図７】本発明の他の実施例が適用されるパチンコ機の正面図。
【図８】同上下部球受皿の斜視図。
【図９】同上要部分解斜視図。
【図１０】同上下部球受皿の裏面斜視図。
【図１１】同上灰皿の断面図。
【図１２】同上作用説明図。
【符号の説明】
１１          球貯留部
１２          底壁
１３          球抜き孔
１６          シャッター板
１９          弾性係止部
２５          灰皿
２７          差込み係止部
【図１】
0003573798.tif 000002
【図２】
0003573798.tif 000003
【図３】
0003573798.tif 000004
【図４】
0003573798.tif 000005
【図５】
0003573798.tif 000006
【図６】
0003573798.tif 000007
【図７】
0003573798.tif 000008
【図８】
0003573798.tif 000009
【図９】
0003573798.tif 000010
【図１０】
0003573798.tif 000011
【図１１】
0003573798.tif 000012
【図１２】
0003573798.tif 000013